(57)【要約】【課題】  商用電源の無い場所でも、多種類の外部電源から携帯電話機内蔵電池に充電可能にすると共に、携帯電話機や充電器を不測の過大電圧・過大電流から保護できるコンパクトな携帯電話機内蔵電池の充電器を安価に多量提供すること。【解決手段】  絶縁ケース１に外部電池受電端子２を設けると共に、ケース両側にパソコンの外部機器接続用コネクタに差込めるパソコン電源受電プラグ３を有する受電コード４と、携帯電話機Ｔの充電入力コネクタに差込める充電出力プラグ５を有する充電コード６とを延在突設し、また前記ケース１の一部に自動車のシガーライタソケットに差込める車載電源受電プラグ７を設け、さらに前記ケース１の他部に交流電源受電プラグ８をそれぞれ備え、前記各受電部分と充電コード６の基部との間にそれぞれ充電回路を介在し、その回路基板を前記ケース１に内装した。【選択図】図１
0003108480.tif 000002
【実用新案登録請求の範囲】
【請求項１】
絶縁ケースの外面に正負一対の外部電池受電端子を設けると共に、前記ケースの左右両側にそれぞれパソコンの外部機器接続用コネクタに差込めるパソコン電源受電プラグを有する受電コードと、携帯電話機の充電入力コネクタに差込める充電出力プラグを有する充電コードとをほぼ対称的に延在突設し、また前記ケースの一端に自動車のシガーライタソケットに差込める車載電源受電プラグを設け、さらに前記ケースの他部に商用電源コンセントに差込める交流電源受電プラグをそれぞれ備えてなり、前記各受電部分と充電コード基部との間にそれぞれ携帯電話機内蔵電池の充電規格に合致した充電回路を介在し、その回路基板を前記ケースに内装した携帯電話機内蔵電池の充電器。
【請求項２】
絶縁ケースの外面に正負一対の外部電池受電端子を設けると共に、前記ケースの左右両側にそれぞれパソコンの外部機器接続用コネクタに差込めるパソコン電源受電プラグを有する受電コードと、携帯電話機の充電入力コネクタに差込める充電出力プラグを有する充電コードとをほぼ対称的に延在突設し、また前記ケースの一端に自動車のシガーライタソケットに差込める車載電源受電プラグを設け、さらに前記ケースの他部に商用電源コンセントに差込める交流電源受電プラグをそれぞれ備え、前記各受電部分と充電コード基部との間にそれぞれ過電流で抵抗値が急増する電流遮断素子と携帯電話機内蔵電池の充電規格に合致した充電回路とを直列に介在させ、その回路基板を前記ケースに内装した携帯電話機内蔵電池の充電器。
【請求項３】
前記パソコンの外部機器接続用コネクタに差込めるパソコン電源受電プラグとして、パソコンのＵＳＢコネクタに差込み可能な受電プラグを用いた請求項１または請求項２に記載の携帯電話機内蔵電池の充電器。
【請求項４】
前記充電出力プラグと携帯電話機の充電入力コネクタとの間に、このコネクタの種類に応じた充電接続変換アダプタを介在させることで、異なる種類の携帯電話機の内蔵電池に充電対応可能になした請求項１から請求項３までのいずれか一つの請求項に記載の携帯電話機内蔵電池の充電器。
【請求項５】
前記充電コードを伸縮式コードリールに巻き込み、充電コードを伸縮可能になした請求項１から請求項４までのいずれか一つの請求項に記載の携帯電話機内蔵電池の充電器。
【請求項６】
前記絶縁ケースの外面にパソコン電源受電プラグを挟支できる突枠を形成し、この突枠内に前記パソコン電源受電プラグを嵌合保持可能にした請求項１から請求項５までのいずれか一つの請求項に記載の携帯電話機内蔵電池の充電器。
【請求項７】
前記交流電源受電プラグをその基部におけるヒンジ部から折り返して前記絶縁ケースの外面凹所に格納可能になした請求項１から請求項６までのいずれか一つの請求項に記載の携帯電話機内蔵電池の充電器。
【請求項８】
前記充電コードの基部に接続してケースの表面に配設した充電表示素子の点灯表示により、正しい充電状態であることを表示可能になした請求項１から請求項７までのいずれか一つの請求項に記載の携帯電話機内蔵電池の充電器。
【考案の詳細な説明】
【技術分野】
【０００１】
本考案は、多種類の外部電源から携帯電話機内蔵電池に充電可能にすると共に、各受電部分にそれぞれ電流遮断素子とを直列に介在させて、携帯電話機や充電器を不測の過大電圧・過大電流から保護できるコンパクトな携帯電話機内蔵電池の充電器に関する。  
【０００２】
従来の携帯電話機内蔵電池の充電器としては、例えば携帯電話機に付属した内蔵電池の充電用スタンドやコード接続式充電器が極く周知である。
【考案の開示】
【考案が解決しようとする課題】
【０００３】
前記各従来例は、家庭内や事務所内の一般的な交流１００Ｖの商用電源コンセントに差込める交流電源受電プラグだけを備えた携帯電話機内蔵電池の充電器であるため、商用電源の無い場所では充電できないというような本質的、かつ大きな問題点が有る。
【０００４】
本考案は、商用電源の無い場所でも、多種類の外部電源から携帯電話機内蔵電池に充電可能にすると共に、携帯電話機や充電器を不測の過大電圧・過大電流から保護できるコンパクトな携帯電話機内蔵電池の充電器を安価に多量提供することを目的とする。
【課題を解決するための手段】
【０００５】
上記した本考案の目的は、絶縁ケースの外面に正負一対の外部電池受電端子を設けると共に、前記ケースの左右両側にそれぞれパソコンの外部機器接続用コネクタに差込めるパソコン電源受電プラグを有する受電コードと、携帯電話機の充電入力コネクタに差込める充電出力プラグを有する充電コードとをほぼ対称的に延在突設し、また前記ケースの一端に自動車のシガーライタソケットに差込める車載電源受電プラグを設け、さらに前記ケースの他部に商用電源コンセントに差込める交流電源受電プラグをそれぞれ備え、前記各受電部分と充電コード基部との間にそれぞれ携帯電話機内蔵電池の充電規格に合致した充電回路を直列に介在し、その回路基板を前記ケースに内装したことで達成できた。
【０００６】
なお、前記各受電部分と前記充電コード基部との間にそれぞれ過電流で抵抗値が急増する電流遮断素子と携帯電話機内蔵電池の充電規格に合致した充電回路とを直列に介在させ、その回路基板を前記ケースに内装してもよい。
【考案の効果】
【０００７】
本考案は、以上のような手段を採用したので、以下に記載の効果を奏する。
本考案における請求項１の考案によれば、絶縁ケースの外面に正負一対の外部電池受電端子を設けると共に、ケースの左右両側にそれぞれパソコン電源受電プラグを有する受電コードと、携帯電話機の充電入力コネクタに差込める充電出力プラグを有する充電コードとを延在突設し、また前記ケースの一端に車載電源受電プラグを設け、さらに前記ケースの他部に交流電源受電プラグをそれぞれ備え、かつ前記各受電部分と前記充電出力プラグとの間にそれぞれ携帯電話機内蔵電池の充電規格に合致した充電回路を介在したので、商用電源の無い場所でも上記多種類の外部電源から携帯電話機内蔵電池に充電できるコンパクトな多用途充電器を安価に多量提供できるという優れた効果が有る。
【０００８】
また、請求項２の考案によれば、前記諸効果に加えて、前記各受電部分と前記充電コード基部との間にそれぞれ過電流で抵抗値が急増する電流遮断素子と携帯電話機内蔵電池の充電規格に合致した充電回路とを直列に介在し、その回路基板を前記ケースに内装したので、不測の過大電圧・過大電流による携帯電話機や充電器の過熱事故や損傷を防止できるという効果を付加できた。
【０００９】
さらに、本考案における請求項３の考案では、前記パソコンの外部機器接続用コネクタに差込めるパソコン電源受電プラグとして、現用多種のパソコンに設けてあるＵＳＢコネクタに差込み可能な受電プラグを用いたので、オフィス内でパソコン汎用性に富む携帯電話機内蔵電池の充電器となし得たという効果を付加できた。
【００１０】
本考案における請求項４の考案では、前記諸効果に加えて、前記充電出力プラグと携帯電話機の充電入力コネクタとの間に、このコネクタの種類に応じた充電接続変換アダプタを介在させることで、異なる種類の携帯電話機に互換性よく充電対応できるという効果を付加でき、また本考案における請求項５の考案のように、前記充電コードを伸縮可能に巻き込めるコードリールに巻き込めば充電コードが邪魔にならず、一層快適に使用できるという効果を付加できた。
【００１１】
本考案における請求項６および請求項７の考案のように、前記絶縁ケースの外面にパソコン電源受電プラグを挟支できる突枠を形成し、この突枠内にパソコン電源受電プラグを嵌合保持可能にしたり、前記交流電源受電プラグをその基部におけるヒンジ部から折り返して前記絶縁ケースの外面凹所に着脱可能に格納可能にすれば、不使用状態にある上記パソコン電源受電プラグや交流電源受電プラグが邪魔にならず、より一層快適に使用できるという効果を付加でき、また本考案における請求項８の考案では、前記充電コードの基部に接続してケースの表面に配設した充電表示素子の点灯表示により、正しい充電状態であることを表示できるから、より一層安全確実に使用できるという効果を付加できた。
【考案を実施するための最良の形態】
【００１２】
本考案を実施するための最良の形態例は、図１のようにプラスチックなどで成形した絶縁ケース１の一面に００６Ｐなど角形の外部電池に設けた周知の正負各端子（図示せず）を係合接続させる外部電池受電端子２を設けると共に、前記ケース１の左右両側にそれぞれパソコンの一般的な外部機器接続用コネクタ（ＵＳＢコネクターなどの周知のものでよいから図示せず）に差込めるパソコン電源受電プラグ３を有する受電コード４と、携帯電話機に設けてある一般的な充電入力コネクタ（周知のものでよいから図示せず）に差込める充電出力プラグ５を有する充電コード６とを図１のように対称的に延在突設する。
【００１３】
また前記ケース１の一部に自動車内の一般的なシガーライタソケット（図示せず）に差込める車載電源受電プラグ７を設け、さらに前記ケース１の下部に一般的な商用電源コンセントに差込める交流電源受電プラグ８をそれぞれ備え、前記外部電池受電端子２・車載電源受電プラグ７・交流電源受電プラグ８の各受電部分と前記充電コード６の基部との間にそれぞれ携帯電話機内蔵電池の充電規格に合致した充電回路を格別に介在し、その回路基板を前記ケース１に内装することで、本考案による携帯電話機内蔵電池の充電器を構成できた。
【００１４】
本考案による携帯電話機内蔵電池の充電器は、以上のような構成であり、これを家庭内や事務所・工場内などの商用電源コンセントの有る場所で使用するには、交流１００〜２００ボルト程度の一般的な商用電源コンセントに交流電源受電プラグ８を差し込み、前記充電出力プラグ５を図１のような携帯電話機Ｔの充電入力コネクタに差込むことで、上記商用電源コンセントから交流電源受電プラグ８と前記充電コード６の基部との間に介在した前記充電回路を経て約４ボルト程度の携帯電話機内蔵電池に充電できる。
【００１５】
商用電源コンセントの無い場所で携帯電話機内蔵電池を充電するには、００６Ｐなど携帯電話機内蔵電池の電圧よりも高い出力電圧の角形外部電池が手元に有れば、この電池の一面に設けた正負の各スナップ端子を図１のような外部電池受電端子２に差込み、前記充電出力プラグ５を図１のような携帯電話機Ｔの充電入力コネクタに差込むことで、外部電池受電端子２と充電コード６の基部との間に介在した前記充電回路により携帯電話機内蔵電池を上記外部電池で充電できる。
【００１６】
またパソコンの有る場所では、その外部機器接続用コネクタに受電コード４の受電プラグ３を差込み、前記充電出力プラグ５を携帯電話機Ｔの充電入力コネクタに差込むことで、携帯電話機内蔵電池を上記受電コード４と充電コード６の基部との間に介在した前記充電回路によりパソコン電源から充電でき、さらに自動車内であれば、そのシガーライタソケットに車載電源受電プラグ７を係入し、前記充電出力プラグ５を携帯電話機Ｔの充電入力コネクタに差込むことで、携帯電話機内蔵電池を車載電源受電プラグ７と充電コード６の基部との間に介在した前記充電回路を介して車載電源で充電でき、商用電源コンセントの無い場所でも、上記多種類の外部電源から携帯電話機内蔵電池の充電規格に合致した前記各充電回路により携帯電話機内蔵電池に充電できる。
【００１７】
本考案は、前記各使用例において、正常な充電状態にあるときは、前記充電コード６の基部に接続してケースの表面に図１のように配設した発光ダイオードなどの充電表示素子９の点灯表示により、正しい充電状態であることを使用者に表示することができる。
【００１８】
また、前記外部電池受電端子２・車載電源受電プラグ７・交流電源受電プラグ８の各受電部分と前記充電出力プラグ５との間にそれぞれ過電流で抵抗値が急増する電流遮断素子と前記各充電回路とを直列に格別接続すれば、使用時に各受電部分を誤接続した場合や故障した携帯電話機Ｔの内蔵電池出力プラグを接続した場合などによる不測の過大電圧・過大電流による過熱事故から携帯電話機や充電器を初めとして前記プラグ類やコード類を保護できる。
【００１９】
すなわち、上記過電流で抵抗値が急増する電流遮断素子には、テレビジョン受像機のブラウン管消磁回路などに用いている一般的なカーボンブラック含有の耐熱プラスチックなどによる導電ポリマー系の正電流特性のサーミスタを用いることで、この素子に流れる電流が例えば１００ｍＡ以下の常温使用時には、上記素子の抵抗値が５オーム未満で充分な通電状態で充電可能状態にあるが、各受電部分を誤接続した場合や故障した携帯電話機Ｔの充電入力コネクタに充電出力プラグ５を接続した場合などによる不測の過大電流が上記素子に異常に流れると、大きなジュール熱の発生により、この素子が急発熱してその温度が急速に１２０°Ｃ程度以上になり、その抵抗値が１メグオーム（１００万オーム）以上の高抵抗に急増して回路電流を確実に遮断維持でき、携帯電話機や充電器内の充電回路を初めとして前記プラグ類やコード類を異常使用による過大電圧・過大電流から速やかに保護できた。
【００２０】
上記異常使用時には、前記充電表示素子９が直ちに消灯して異常事態であることを使用者に表示することができ、この時には直ちに各受電部分を各電源から外し、上記誤接続を正しく直したり、故障していない携帯電話機に接続し直すと、上記電流遮断素子の温度が自己放熱作用で約３分〜５分程度で常温に復元し、上記素子の抵抗値が自動的に５オーム未満になり、前記充電器を携帯電話機内蔵電池の充電器として再度使用できる。
【実施例】
【００２１】
前記充電出力プラグ５と携帯電話機の充電入力コネクタとの間に、図２のような上記プラグ５に差込める充電補助コネクタ１０Ａと、異なる種類の携帯電話機Ｔの充電入力コネクタに差込める充電補助ブラグ１０Ｂとを有する充電接続変換アダプタ１０を介在させることで、異なる種類の携帯電話機Ｔの内蔵電池に充電対応できる。
【００２２】
また前記充電コード６を周知の伸縮式コードリール１１（図１参照）に巻き込むことで、充電コード６を必要に応じて伸縮させることもでき、さらに前記絶縁ケース１の外面にパソコン電源受電プラグ３の外側面を挟支できる図１・図３のような突枠１２を形成し、この突枠内に前記パソコン電源受電プラグ３を図３の鎖線のように嵌合させて保持可能にしてもよく、また前記交流電源受電プラグ８をその基部におけるヒンジ部８Ａから図４のように折返して前記絶縁ケース１の裏面凹所１Ａ内に格納可能にしてもよい。
【産業上の利用可能性】
【００２３】
前記充電出力プラグ５を別形式の充電用プラグやコネクタに置換すれば、本考案による携帯電話機内蔵電池の充電器は、他の充電可能電池の充電器として立派に対応できる。
【図面の簡単な説明】
【００２４】
【図１】本考案の実施形態例を示す斜視図
【図２】本考案に用いる充電接続変換アダプタの一例を示す斜視図
【図３】本考案におけるケース突枠の使用例を示す側面図
【図４】本考案における交流電源受電プラグの格納例を示す平面図
【符号の説明】
【００２５】
１  絶縁ケース
１Ａ  ケースの裏面凹所
２  外部電池受電端子
３  パソコン受電プラグ
４  受電コード
５  充電出力プラグ
６  充電コード
７  車載電源受電プラグ
８  交流電源受電プラグ
９  充電表示素子
１０  充電接続変換アダプタ
１１  伸縮式コードリール
１２  ケース突枠
Ｔ  携帯電話機
【図１】
0003108480.tif 000003
【図２】
0003108480.tif 000004
【図３】
0003108480.tif 000005
【図４】
0003108480.tif 000006